(57)【要約】【課題】放電距離が確保できるとともに、過電流を確実に捕捉できる避雷器を提供する。【解決手段】避雷器２０は、腕金９に固定され、架空電線を支持する高圧クランプ碍子１０の上部金具１２との間に設けられた第１放電ギャップＧ１及び第２放電ギャップＧ２を介して過電流を大地へ流すとともに、続流を遮断する避雷素子２１を備える。避雷器２０は、避雷素子２１の先端に第１放電部３２を備えた招弧電極３０が取り付けられ、高圧クランプ碍子１０の上部金具１２と招弧電極３０との間に第１放電ギャップＧ１を形成し、招弧電極３０と避雷素子２１の基端に取り付けられた外部電極４０との間に第２放電ギャップＧ２を形成する。第２放電ギャップＧ２の方向は、高圧クランプ碍子１０の碍子軸Ｐに対して垂直に設定される。よって、放電距離が確保できるとともに、不要に閃絡することを抑制できる。【選択図】図１
2014010921.tif 000002
【特許請求の範囲】
【請求項１】
腕金に固定され、架空電線を支持するクランプ碍子の上部金具との間に設けられた放電ギャップを介して過電流を大地へ流すとともに、続流を遮断する避雷素子を備える避雷器において、
前記避雷素子の先端に放電部を備えた招弧電極が取り付けられ、
前記放電ギャップとして第１放電ギャップと第２放電ギャップとを設け、
前記クランプ碍子の上部金具と前記招弧電極との間に前記第１放電ギャップを形成し、
前記招弧電極と前記避雷素子の基端に取り付けられた外部電極との間に前記第２放電ギャップを形成し、
前記第２放電ギャップの方向は、前記クランプ碍子の碍子軸に対して垂直に設定される
ことを特徴とする避雷器。
【請求項２】
請求項１に記載の避雷器において、
前記第２放電ギャップは、前記避雷素子の側方、且つ前記避雷素子の先端近傍に設けられる
ことを特徴とする避雷器。
【請求項３】
請求項２に記載の避雷器において、
前記第２放電ギャップは、前記招弧電極に形成された第２放電部と、前記外部電極に形成された第３放電部とによって構成され、
前記第２放電部には、前記第３放電部に向かって突出した突起部が形成されている
ことを特徴とする避雷器。
【請求項４】
請求項３に記載の避雷器において、
前記第３放電部には、前記第２放電部に向かって突出した円弧状の円弧部が形成され、
前記円弧部は、前記軸方向に沿って形成されている
ことを特徴とする避雷器。
【請求項５】
請求項３〜４のいずれか一項に記載の避雷器において、
前記招弧電極には、前記第２放電部の上部に傾斜部が設けられている
ことを特徴とする避雷器。
【請求項６】
請求項１〜５のいずれか一項に記載の避雷器において、
前記外部電極の先端は、三角円弧形状に形成されている
ことを特徴とする避雷器。
【請求項７】
請求項１〜６のいずれか一項に記載の避雷器において、
前記第１放電ギャップは、前記クランプ碍子の上部金具と、前記招弧電極に形成された第１放電部とによって構成され、
前記第１放電部は、前記碍子軸と平行に形成されている
ことを特徴とする避雷器。
【請求項８】
請求項１〜７のいずれか一項に記載の避雷器において、
一端に前記避雷素子と前記外部電極とが取り付けられ、他端に前記クランプ碍子が取り付けられる取付金具を備え、
前記外部電極と前記取付金具とには、前記外部電極を位置決めする規制部が設けられている
ことを特徴とする避雷器。
【発明の詳細な説明】
【技術分野】
【０００１】
本発明は、架空電線の過電圧から対象機器を保護する避雷器に関する。
【背景技術】
【０００２】
雷サージ等による過電圧が架空電線に流れたときに備えて避雷器が設置されている（例えば、特許文献１参照）。避雷器は、架空電線に流れる過電流を大地へ放電するとともに、続流を遮断する。避雷器は、高圧クランプ碍子の側方に取付金具を介して避雷素子が取り付けられている。避雷素子の下端は、取付金具によって腕金に接続されている。
【０００３】
避雷素子の上端には、高圧クランプ碍子との間で第１放電ギャップを形成する招弧電極が取り付けられている。避雷素子の上下端には、第２放電ギャップを形成する外部電極が取り付けられている。避雷器は、雷サージ等による過電圧が架空電線に発生すると、第１放電ギャップと避雷素子とを介して過電流を大地へ放電する。また、過電流が大きく、避雷素子に発生する制限電圧がある一定値を超える場合は、第１放電ギャップと第２放電ギャップとを介して過電流を大地へ放電する。
【先行技術文献】
【特許文献】
【０００４】
【特許文献１】特開平１１−１２１１４０号公報
【発明の概要】
【発明が解決しようとする課題】
【０００５】
ところで、第２放電ギャップが上下垂直方向において形成されているので、外部電極の先端に雨水や雨水が凍結した氷柱によって第２放電ギャップの放電距離が縮小されるおそれがある。そして、放電距離が縮小されると、不要な閃絡を生じ、避雷素子を介して過電流を大地へ放電せず、続流を遮断できない。一方で、放電距離が拡大すると、過電流が大きく、避雷素子に発生する制限電圧がある一定値を超えた場合でも、第２放電ギャップが閃絡せず、過電流を捕捉することが難しくなる。そこで、放電距離が確保できるとともに、過電流を確実に捕捉できる避雷器が求められていた。
【０００６】
本発明は、こうした実情に鑑みてなされたものであり、その目的は、放電距離が確保できるとともに、過電流を確実に捕捉できる避雷器を提供することにある。
【課題を解決するための手段】
【０００７】
以下、上記目的を達成するための手段及びその作用効果について説明する。
請求項１に記載の発明は、腕金に固定され、架空電線を支持するクランプ碍子の上部金具との間に設けられた放電ギャップを介して過電流を大地へ流すとともに、続流を遮断する避雷素子を備える避雷器において、前記避雷素子の先端に放電部を備えた招弧電極が取り付けられ、前記放電ギャップとして第１放電ギャップと第２放電ギャップとを設け、前記クランプ碍子の上部金具と前記招弧電極との間に前記第１放電ギャップを形成し、前記招弧電極と前記避雷素子の基端に取り付けられた外部電極との間に前記第２放電ギャップを形成し、前記第２放電ギャップの方向は、前記クランプ碍子の碍子軸に対して垂直に設定されることをその要旨としている。
【０００８】
同構成によれば、招弧電極と外部電極とによって第２放電ギャップを構成し、第２放電ギャップをクランプ碍子の碍子軸に対して垂直方向に設定した。なお、第２放電ギャップは、招弧電極と外部電極との最短距離を繋いだ直線である。このため、招弧電極に対して水平方向で向き合う外部電極に、招弧電極から雨水が滴下することがなく、雨水や雨水が凍結した氷柱による第２放電ギャップの放電距離の縮小が抑制される。よって、放電距離が確保できるとともに、不要に閃絡することを抑制できる。
【０００９】
請求項２に記載の発明は、請求項１に記載の避雷器において、前記第２放電ギャップは、前記避雷素子の側方、且つ前記避雷素子の先端近傍に設けられることをその要旨としている。
【００１０】
同構成によれば、第２放電ギャップを、避雷素子の側方、且つ避雷素子の先端近傍に設けた。このため、招弧電極に流れた過電流を外部電極に容易に放電することができる。
請求項３に記載の発明は、請求項２に記載の避雷器において、前記第２放電ギャップは、前記招弧電極に形成された第２放電部と、前記外部電極に形成された第３放電部とによって構成され、前記第２放電部には、前記第３放電部に向かって突出した突起部が形成されていることをその要旨としている。
【００１１】
同構成によれば、招弧電極に形成された第２放電部と、外部電極に形成された第３放電部とによって第２放電ギャップを構成し、第２放電部に突起部が形成されているので、第２放電部から第３放電部に過電流を容易に放電することができる。
【００１２】
請求項４に記載の発明は、請求項３に記載の避雷器において、前記第３放電部には、前記第２放電部に向かって突出した円弧状の円弧部が形成され、前記円弧部は、前記軸方向に沿って形成されていることをその要旨としている。
【００１３】
同構成によれば、第３放電部に円弧状の円弧部が軸方向に沿って形成されるので、第２放電部から第３放電部に過電流を容易に放電することができる。
請求項５に記載の発明は、請求項３〜４のいずれか一項に記載の避雷器において、前記招弧電極には、前記第２放電部の上部に傾斜部が設けられていることをその要旨としている。
【００１４】
同構成によれば、招弧電極において第２放電部の上部に傾斜部が設けられているので、鳥等によって異物が設置されたとしても異物が滑り易く、引っ掛かり難い。よって、異物による閃絡を抑制することができる。
【００１５】
請求項６に記載の発明は、請求項１〜５のいずれか一項に記載の避雷器において、前記外部電極の先端は、三角円弧形状に形成されていることをその要旨としている。
同構成によれば、外部電極の先端を三角円弧形状に形成したので、鳥等によって異物が設置されたとしても異物が滑り易く、引っ掛かり難い。よって、異物による閃絡を抑制することができる。なお、三角円弧形状とは、先端を凸とする三角形の角が丸みを帯びている形状である。
【００１６】
請求項７に記載の発明は、請求項１〜６のいずれか一項に記載の避雷器において、前記第１放電ギャップは、前記クランプ碍子の上部金具と、前記招弧電極に形成された第１放電部とによって構成され、前記第１放電部は、前記碍子軸と平行に形成されていることをその要旨としている。
【００１７】
同構成によれば、招弧電極に形成された第１放電部と、クランプ碍子の上部金具とによって第１放電ギャップを構成し、第１放電部は碍子軸と平行に形成されている。このため、招弧電極に雨水が溜まらないので、雨水や雨水が凍結した氷柱による第１放電ギャップの放電距離の縮小が抑制される。
【００１８】
請求項８に記載の発明は、請求項１〜７のいずれか一項に記載の避雷器において、一端に前記避雷素子と前記外部電極とが取り付けられ、他端に前記クランプ碍子が取り付けられる取付金具を備え、前記外部電極と前記取付金具とには、前記外部電極を位置決めする規制部が設けられていることをその要旨としている。
【００１９】
同構成によれば、一端に避雷素子と外部電極とが取り付けられ、他端にクランプ碍子が取り付けられる取付金具を備え、外部電極と取付金具とに規制部が設けられているので、外部電極と取付金具とを位置決めすることができる。
【発明の効果】
【００２０】
本発明によれば、避雷器において、放電距離が確保できるとともに、過電流を確実に捕捉できる。
【図面の簡単な説明】
【００２１】
【図１】腕金に設置された避雷器の設置状態を示す側面図。
【図２】避雷器の構成を示す斜視図。
【図３】避雷器の構成を示す斜視図。
【図４】避雷器の構成を示す上面図。
【図５】避雷器の構成を示す背面図。
【図６】腕金に設置された避雷器の設置状態を示す側面図。
【図７】避雷器の構成を示す斜視図。
【図８】避雷器の構成を示す斜視図。
【図９】避雷器の構成を示す背面図。
【発明を実施するための形態】
【００２２】
（第１の実施形態）
以下、本発明の避雷器を具体化した第１の実施形態について図１〜図５を参照して説明する。本実施形態は、腕金９に対して、高圧クランプ碍子１０とともに、新規に取り付けられる新規取付用の避雷器２０である。
【００２３】
図１に示されるように、腕金９の上部に３相分の高圧クランプ碍子１０を３個固定し、これら高圧クランプ碍子１０によって各相の架空電線が支持されている。高圧クランプ碍子１０は、架空電線を支持する上部金具１２を有する本体碍子１１と、本体碍子１１の下部に固着されるベース金具１３と、ベース金具１３の下部に固着される固定ボルト１４とによって構成されている。腕金９に形成された図示しない孔に上方から固定ボルト１４が挿通され、固定ボルト１４に下方からナット１５を締め付けることにより、高圧クランプ碍子１０は腕金９に固定されている。
【００２４】
避雷器２０は、高圧クランプ碍子１０の固定ボルト１４に取付金具５０を介して固定される避雷素子２１と、避雷素子２１の先端に固定された招弧電極３０と、避雷素子２１の基端に固定された外部電極４０と、避雷素子２１を腕金９に取り付ける取付金具５０とを備えている。
【００２５】
避雷素子２１は、下端に接地側電極２２と、上端に課電側電極２４とを備えている。接地側電極２２と課電側電極２４との間には、ＺｎＯ（酸化亜鉛）系の非直線抵抗素子である限流素子２６が挟着され、その外周には弾力性に富む絶縁材料からなる絶縁外套２７がモールド成型されている。
【００２６】
取付金具５０は、導電性を有する板状の金属により腕金９に固定される腕金固定部（基端部）５１と、避雷素子２１が固定される避雷素子固定部（先端部）５３とが形成されている。腕金固定部５１には、高圧クランプ碍子１０の固定ボルト１４を挿通するための固定孔５２が形成されている。避雷素子固定部５３は、腕金９に向かって開口したコ字状に形成されている。避雷素子固定部５３の空間部分に避雷素子２１の接地側電極２２を固定するナット２３を収容する。避雷素子固定部５３には、避雷素子２１の接地側電極２２の固定ボルト２２ａを挿通するための固定孔５４が形成されている。
【００２７】
図５に示されるように、取付金具５０は、避雷素子固定部５３に連続し、取付金具５０の延出方向と直交する方向に延出するとともに、下方に折り曲げられている回止部５５を備えている。なお、回止部５５が規制部として機能する。
【００２８】
図１に示されるように、取付金具５０の腕金固定部５１は、高圧クランプ碍子１０の固定ボルト１４に対し、本体碍子１１のベース金具１３と腕金９の間に位置するようにナット２３によって固定されている。取付金具５０は、腕金９の上面に高圧クランプ碍子１０と腕金９とから挟まれて取り付けられる。取付金具５０の避雷素子固定部５３には、避雷素子２１の接地側電極２２が外部電極４０とともに下方からナット２３によって固定される。避雷素子２１の課電側電極２４には招弧電極３０が固定されている。
【００２９】
図２及び図３に示されるように、招弧電極３０は、導電性を有する板状の金属により折曲形成されている。招弧電極３０は、避雷素子２１の課電側電極２４に固定される固定部３１と、固定部３１に連続し、上部金具１２との間で第１放電ギャップＧ１を構成する第１放電部３２とを備えている。固定部３１には、避雷素子２１の課電側電極２４を挿通する取付孔３１ａが形成されている。招弧電極３０は、固定部３１の取付孔３１ａに課電側電極２４を挿通して当座金２９とともにナット２５によって締付固定されている。
【００３０】
第１放電部３２は、固定部３１に対して垂直に高圧クランプ碍子１０側の上方向へ折曲形成され、高圧クランプ碍子１０の碍子軸Ｐと平行に延出する。第１放電部３２の先端は、四角形状に形成されている。第１放電部３２の先端面３２ａと上部金具１２との間が最短距離となり、第１放電ギャップＧ１となる。すなわち、第１放電ギャップＧ１は、第１放電部３２の先端面３２ａの高圧クランプ碍子１０側の角部と上部金具１２の上部金具１２の下端との間の最短距離で斜め方向に形成される。第１放電ギャップＧ１の寸法は、高圧クランプ碍子１０と避雷器２０の招弧電極３０との距離により所定寸法に設定される。
【００３１】
また、招弧電極３０は、高圧クランプ碍子１０の反対側に、固定部３１に連続した傾斜部３３と、傾斜部３３の下部に連続し、外部電極４０との間で第２放電ギャップＧ２を構成する第２放電部３４とを備えている。傾斜部３３は、固定部３１から外部電極４０側の下方へ傾斜している。第２放電部３４は、固定部３１に対して垂直に外部電極４０側の下方向へ延出して折曲形成され、高圧クランプ碍子１０の碍子軸Ｐと平行に形成されている。第２放電部３４の下端は、避雷素子２１の上側近傍に位置している。また、固定部３１と第２放電部３４との間が傾斜部３３によって斜めに接続されている。招弧電極３０は、固定部３１と、第１放電部３２と、傾斜部３３と、第２放電部３４とが一体に形成されている。第１放電部３２と第２放電部３４とは、固定部３１の両端で上下反対方向に垂直かつ平行に形成されている。
【００３２】
第２放電部３４には、外部電極４０に向かって突出した突起部としての放電突起３５が形成されている。放電突起３５の先端は、円錐状に形成されている。
図３に示されるように、外部電極４０は、導電性を有する板状の金属がＬ字状に折曲形成されている。外部電極４０は、避雷素子２１の接地側電極２２に取り付けられる避雷素子取付部４１と、避雷素子取付部４１に連続し、招弧電極３０の第２放電部３４との間で第２放電ギャップＧ２を構成する第３放電部４２とを備えている。外部電極４０は、避雷素子取付部４１と第３放電部４２とが一体に形成されている。外部電極４０の第３放電部４２は、高圧クランプ碍子１０と反対側に配置されている。避雷素子取付部４１には、避雷素子２１の接地側電極２２を挿通する長孔４１ａが形成されている。長孔４１ａは、外部電極４０の延出方向に沿って延びる。
【００３３】
図３及び図５に示されるように、第３放電部４２は、高圧クランプ碍子１０の碍子軸Ｐと平行に、碍子軸Ｐに沿って上方向に延出し、避雷素子２１の先端の高さまで延びている。すなわち、第２放電部３４と第３放電部４２とは、上下反対方向に垂直かつ平行に延出して形成されている。
【００３４】
図４に示されるように、第３放電部４２の上端部は、上面視において円弧状に第２放電部３４に向かって突出した円弧部４２ａが形成されている。よって、第２放電部３４の放電突起３５の先端と、第３放電部４２の円弧部４２ａとの最短距離が第２放電ギャップＧ２となる。
【００３５】
図３に示されるように、第２放電ギャップＧ２は、水平方向に設定され、高圧クランプ碍子１０の碍子軸Ｐに対して直交する。第２放電ギャップＧ２は、高圧クランプ碍子１０と反対側の避雷素子２１の側方、且つ避雷素子２１の先端近傍に設けられている。第２放電ギャップＧ２の寸法は、招弧電極３０と外部電極４０との距離により所定寸法に設定される。寸法調整は、外部電極４０の長孔４１ａによって避雷素子２１の接地側電極２２に対して外部電極４０を水平方向に変位させることで行う。このとき、第３放電部４２が、上方向に延出形成されているので、第２放電部３４の放電突起３５の先端と第３放電部４２の円弧部４２ａとの上下方向の寸法調整の必要はない。
【００３６】
図５に示されるように、第３放電部４２の上部の先端部４３は、三角円弧形状に形成されている。三角円弧形状とは、先端を凸とする三角形の角が丸みを帯びている形状である。すなわち、第３放電部４２は、先端ほど細くなっている。
【００３７】
図３及び図５に示されるように、外部電極４０は、固定部３１に連続し、固定部３１の延出方向と直交する方向に延出するとともに、下方に折り曲げられている回止部４５を備えている。外部電極４０の回止部４５は、取付金具５０の回止部５５の外面に接している。なお、回止部４５が規制部として機能する。よって、取付金具５０の回止部５５と外部電極４０の回止部４５とが接することで、取付金具５０に対する外部電極４０の位置が固定されている。
【００３８】
次に、前述のように構成された避雷器２０の動作について説明する。
雷サージにより架空電線に過電圧が加わると、架空電線に接続された高圧クランプ碍子１０の上部金具１２から放電が起きる。この放電は、架空電線から第１放電ギャップＧ１を経て招弧電極３０の第１放電部３２に捕捉される。招弧電極３０に捕捉された過電流は、避雷素子２１の課電側電極２４より限流素子２６を経て接地側電極２２、腕金９を介して大地に放出される。過電圧が限流素子２６に印加されると、限流素子２６は、素子自体が備える電圧電流特性の非直線性により、その抵抗値を減じて雷サージの大電流を通し、過電圧の消滅後はその抵抗値を回復して続流の放電を直ちに制限及び遮断し、速やかに絶縁を回復する。このため、避雷器２０によって、続流が発生せず、線路の断線や碍子損傷などの被害が確実に防止される。
【００３９】
また、招弧電極３０に捕捉された過電流が大きく、避雷素子２１に発生する制限電圧がある一定値を超える場合は、招弧電極３０の第２放電部３４から放電が起きる。この放電は、招弧電極３０の第２放電部３４から第２放電ギャップＧ２を経て外部電極４０の第３放電部４２に捕捉される。第３放電部４２に捕捉された過電流は、外部電極４０の避雷素子取付部４１より取付金具５０を経て、腕金９を介して大地に放出される。このため、避雷素子２１の損傷が防止される。
【００４０】
以上、説明した実施形態によれば、以下の効果を奏することができる。
（１）招弧電極３０と外部電極４０とによって第２放電ギャップＧ２を構成し、第２放電ギャップＧ２を高圧クランプ碍子１０の碍子軸Ｐに対して垂直方向に設定した。このため、招弧電極３０に対して水平方向で向き合う外部電極４０に、招弧電極３０から雨水が滴下することがなく、雨水や雨水が凍結した氷柱による第２放電ギャップＧ２の放電距離の縮小が抑制される。よって、放電距離が確保できるとともに、不要に閃絡することを抑制できる。
【００４１】
また、第２放電ギャップＧ２を避雷素子２１に対して高圧クランプ碍子１０の反対側に設けた。このため、第２放電ギャップＧ２で閃絡し、アークが発生しても高圧クランプ碍子１０の損傷が防止される。
【００４２】
（２）第２放電ギャップＧ２を、避雷素子２１の側方、且つ避雷素子２１の先端近傍に設けた。このため、招弧電極３０に流れた過電流を外部電極４０に容易に放電することができる。また、異物による閃絡を抑制することができる。
【００４３】
（３）招弧電極３０に形成された第２放電部３４と、外部電極４０に形成された第３放電部４２とによって第２放電ギャップＧ２を構成し、第２放電部３４に放電突起３５が形成されているので、第２放電部３４から第３放電部４２に過電流を容易に放電することができる。
【００４４】
（４）第３放電部４２に円弧状の円弧部４２ａが高圧クランプ碍子１０の碍子軸Ｐ方向に沿って上方向に形成されるので、第２放電部３４から第３放電部４２に過電流を容易に放電することができる。
【００４５】
また、第２放電部３４と第３放電部４２とによって形成される第２放電ギャップＧ２の上下方向の寸法調整の必要がなくなる。
（５）招弧電極３０において第２放電部３４の上部に傾斜部３３が設けられているので、鳥等によって異物が設置されたとしても異物が滑り易く、引っ掛かり難い。よって、異物による閃絡を抑制することができる。
【００４６】
（６）外部電極４０の先端を三角円弧形状に形成したので、鳥等によって異物が設置されたとしても異物が滑り易く、引っ掛かり難い。よって、異物による閃絡を抑制することができる。
【００４７】
（７）招弧電極３０に形成された第１放電部３２と、高圧クランプ碍子１０の上部金具１２とによって第１放電ギャップＧ１を構成し、第１放電部３２は高圧クランプ碍子１０の碍子軸Ｐと平行に形成されている。このため、招弧電極３０に雨水が溜まらないので、雨水や雨水が凍結した氷柱による第１放電ギャップＧ１の放電距離の縮小が抑制される。
【００４８】
また、鳥等によって異物が設置されたとしても異物が滑り易く、引っ掛かり難い。よって、異物による閃絡を抑制することができる。
（８）一端に避雷素子２１と外部電極４０とが取り付けられ、他端に高圧クランプ碍子１０が取り付けられる取付金具５０を備え、外部電極４０に回止部４５と取付金具５０に回止部５５とが設けられているので、外部電極４０と取付金具５０とを位置決めすることができる。
【００４９】
（９）取付金具５０を高圧クランプ碍子１０の下端と腕金９の上端との間に挟み込んで固定したので、高圧クランプ碍子１０と腕金９とに取付金具５０が挟まれることで避雷器２０を確実に取り付けることができる。
【００５０】
（第２の実施形態）
以下、本発明の避雷器を具体化した第２の実施形態について、図６及び図７を参照して説明する。この実施形態の避雷器２０は、取付金具５０が腕金９の上下を挟み込むとともに、腕金９の下面において高圧クランプ碍子１０の固定ボルト１４に締付固定される点が上記第１の実施形態と異なっている。以下、第１の実施形態との相違点を中心に説明する。本実施形態は、高圧クランプ碍子１０が既に取り付けられた腕金９に取り付ける既存取付用の避雷器２０である。
【００５１】
図６及び図７に示されるように、取付金具５０の腕金固定部５１は、全長が短くなり、腕金９の上面に当接し、腕金９を挟み込む上面挟持部５６として機能する。取付金具５０は、避雷素子固定部５３の側縁部から下方へ延出し、腕金９と当接する当接部５７と、腕金９の下面に沿って延出し、上面挟持部５６と腕金９を挟持する下面挟持部５８とが備えられている。下面挟持部５８には、高圧クランプ碍子１０の固定ボルト１４が挿通される固定孔５９が形成されている。下面挟持部５８がナットによって締付固定されることで、上面挟持部５６とともに腕金９を挟持する。
【００５２】
次に、避雷器２０の取り付けについて説明する。
避雷器２０は、腕金９に取り付けられた高圧クランプ碍子１０の固定ボルト１４からナット１５を取り外す。
【００５３】
続いて、避雷素子２１等が装着された取付金具５０の固定孔５９に固定ボルト１４を挿通し、固定ボルト１４を回動軸として反時計回りに取付金具５０を回して、取付金具５０の当接部５７を腕金９の側面に当接させる。この状態で、固定ボルト１４にナット１５を締め付け、上面挟持部５６と下面挟持部５８とによって取付金具５０を腕金９に挟持させる。外部電極４０の回止部４５と取付金具５０の当接部５７とが接することで、取付金具５０に対する外部電極４０の位置が固定されている。なお、当接部５７が規制部として機能する。
【００５４】
以上、説明した実施形態によれば、第１の実施形態の（１）〜（９）の効果に加え以下の効果を奏することができる。
（１１）外部電極４０を腕金９の下端において高圧クランプ碍子１０の固定ボルト１４に固定したので、腕金９に取り付けられた高圧クランプ碍子１０の固定ボルト１４からナット１５を取り外して固定ボルト１４に取付金具５０を挿通させ、ナット１５を締付固定することで避雷器２０を取り付けることができる。よって、高圧クランプ碍子１０を腕金９から取り外すことなく、避雷器２０を腕金９に取り付けることができる。
【００５５】
（第３の実施形態）
以下、本発明の避雷器を具体化した第３の実施形態について、図８及び図９を参照して説明する。この実施形態の避雷器２０は、外部電極４０に把持部４７を備えた点が上記第２の実施形態と異なっている。以下、第２の実施形態との相違点を中心に説明する。本実施形態も既存取付用の避雷器２０である。
【００５６】
図８及び図９に示されるように、外部電極４０は、避雷素子取付部４１の側縁部から下方へ延出する接続部４６と、接続部４６の先端に接続された把持部４７とを備えている。なお、第２の実施形態の外部電極４０に設けられた回止部４５は、接続部４６に置き換わっている。
【００５７】
把持部４７には、３個の把手４８が設けられている。把持部４７は、マニピュレータ等のアームにより把持される。よって、本実施形態の避雷器２０は、マニピュレータ等により取り付けが可能である。
【００５８】
外部電極４０の接続部４６と取付金具５０の当接部５７とが接することで、取付金具５０に対する外部電極４０の位置が固定されている。なお、接続部４６が規制部として機能する。
【００５９】
以上、説明した実施形態によれば、第１の実施形態の（１）〜（９）、第２の実施形態の（１１）の効果に加え以下の効果を奏することができる。
（１２）外部電極４０に把持部４７を備えたので、マニピュレータ等により把持部４７を把持されて、避雷器２０が取り付けられる。よって、安全な取付作業が可能となる。
【００６０】
なお、上記実施形態は、これを適宜変更した以下の形態にて実施することができる。
・上記実施形態では、規制部として機能する回止部４５，５５、当接部５７、接続部４６を備えたが、省略した構成を採用してもよい。
【００６１】
・上記実施形態では、外部電極４０の第３放電部４２の先端を三角形状にしたが、円弧状等の他の形状を採用してもよい。
・上記実施形態では、招弧電極３０において固定部３１と第２放電部３４との間に傾斜部３３を設けたが、固定部３１に第２放電部３４に直接接続してもよい。
【００６２】
・上記実施形態では、外部電極４０の第３放電部４２を上面視において円弧状に形成したが、三角形状や直線状等の他の形状を採用してもよい。
・上記実施形態では、招弧電極３０の第２放電部３４に放電突起３５を形成したが、放電突起３５を省略してもよい。
【００６３】
・上記実施形態では、第２放電ギャップＧ２を避雷素子２１の側方、且つ避雷素子２１の先端近傍に設けたが、第２放電ギャップＧ２の位置を任意に変更してもよい。
・上記実施形態では、第２放電ギャップＧ２を高圧クランプ碍子１０の碍子軸Ｐに対して垂直としたが、第２放電ギャップＧ２の方向を任意に変更してもよい。
【００６４】
・上記実施形態では、第１放電部３２の先端を四角形状としたが、三角形状等の他の形状を採用してもよい。
・上記構成において、本体碍子１１は磁器製に限らず、樹脂（ポリマー）製を採用することができる。
【符号の説明】
【００６５】
９…腕金、１０…高圧クランプ碍子、１１…本体碍子、１２…上部金具、１３…ベース金具、１４…固定ボルト、１５…ナット、２０…避雷器、２１…避雷素子、２２…接地側電極、２３…ナット、２４…課電側電極、２５…ナット、２６…限流素子、２７…絶縁外套、２９…固定金具、３０…招弧電極、３１…固定部、３１ａ…取付孔、３２…第１放電部、３３…傾斜部、３４…第２放電部、３５…放電突起、４０…外部電極、４１…避雷素子取付部、４１ａ…長孔、４２…第３放電部、４２ａ…円弧部、４３…先端部、４４…リブ、４５…回止部、５０…取付金具、５１…腕金固定部、５２…固定孔、５３…避雷素子固定部、５４…固定孔、５５…回止部、Ｇ１…第１放電ギャップ、Ｇ２…第２放電ギャップ、Ｐ…碍子軸。
【図１】
2014010921.tif 000003
【図２】
2014010921.tif 000004
【図３】
2014010921.tif 000005
【図４】
2014010921.tif 000006
【図５】
2014010921.tif 000007
【図６】
2014010921.tif 000008
【図７】
2014010921.tif 000009
【図８】
2014010921.tif 000010
【図９】
2014010921.tif 000011